(57)【要約】【課題】ポール側とアタッチメント側との、それぞれの調整を個別に行なうことができる、センサー用取付補助具を提供する。【解決手段】取付補助具３は、本体４と、アタッチメント５とを備える。本体４は、ポール６が相対的にスライド調整可能に挿入される挿入孔４ａと、ポール６を挿入孔４ａに固定する第１のネジ部材４ｅを備える。さらに、本体４は、挿入孔４ａの軸心Ｊ１方向と垂直となる軸心Ｊ２を有する、孔部４ｂを備える。一方、アタッチメント５は、前記孔部４ｂに、相対的にその孔部４ｂの軸心Ｊ２回りの任意の回動位置に回動調整可能に嵌合する、軸部５ａを備える。また、アタッチメント５は、センサー部材２が固定される固定部５ｂを備える。そして、取付補助具３は、アタッチメント５を本体４に固定する、前記第１のネジ部材４ｅとは別の第２のネジ部材４ｋを備える。【選択図】  図１
2004270756.tif 000002
【特許請求の範囲】
【請求項１】
センサー部材を取付部に取り付けるための取付補助具であって、
前記取付部側の本体と、前記センサー部材側のアタッチメントとを備え、
前記本体は、その本体よりも前記取付部側に位置するポールが相対的にスライド調整可能に挿入される挿入孔と、前記ポールを前記挿入孔に固定する第１固定手段と、前記挿入孔の軸心方向と垂直となる軸心を有する、孔部または軸部からなる嵌合部と、を備え、
前記アタッチメントは、前記嵌合部に、相対的にその嵌合部の軸心回りの任意の回動位置に回動調整可能に嵌合する、軸部または孔部からなる被嵌合部と、前記センサー部材が、直接または間接的に固定される固定部とを備え、かつ、
前記取付補助具は、前記アタッチメントを、前記本体に、前記嵌合部に前記被嵌合部が嵌合した状態で固定する、前記第１固定手段とは独立した第２固定手段を備えることを特徴とするセンサー用取付補助具。
【請求項２】
前記取付補助具は、前記アタッチメントが、前記本体に対して、前記嵌合部の軸心回りに回動可能な状態で離脱が阻止される、離脱阻止手段を備えることを特徴とする、請求項１に記載のセンサー用取付補助具。
【請求項３】
前記離脱阻止手段は、前記孔部を備える側となる、前記本体または前記アタッチメントに螺合するネジ部材と、前記軸部に設けられて、前記ネジ部材に掛け止められる被掛止部とからなることを特徴とする請求項２に記載のセンサー用取付補助具。
【請求項４】
前記第２固定手段は、前記孔部を備える側となる、前記本体または前記アタッチメントに設けられて、前記孔部の内周面に達するスリットと、そのスリットを狭めるようにねじ込まれる前記ネジ部材とを有することを特徴とする請求項３に記載のセンサー用取付補助具。
【請求項５】
前記挿入孔は、前記ポールが、相対的にその挿入孔の軸心回りの任意の回動位置に回動調整可能に挿入されるよう形成されていることを特徴とする、請求項１ないいし４のいずれか１項に記載のセンサー用取付補助具。
【請求項６】
前記ポールは、断面正多角形状であって、前記挿入孔は、前記ポールが、相対的に所定の角度の回動間隔で、挿入されるよう形成されていることを特徴とする請求項１ないし４のいずれか１項に記載のセンサー用取付補助具。
【発明の詳細な説明】
【０００１】
【発明の属する技術分野】
この発明は、センサー部材を取付部に取り付けるためのセンサー用取付補助具に関するものである。
【０００２】
【従来の技術】
従来、センサー用取付補助具として、図９に示される取付補助具２１があった。この取付補助具２１は、取付部側の本体２２と、センサー側のアタッチメント２３とから構成されていた。そして、本体２２には、ポール２４がスライドおよび回動調整可能に挿入される挿入孔２２ａと、軸部２２ｂとが設けられていた。また、本体２２は、挿入孔２２ａと軸部２２ｂとをそれぞれの中央部分で間隙２２ｃが形成されるようにして分断された、二つの分割体２２ｄからなっていた。そして、本体２２は、挿入孔２２ａを基準にして、前記軸部２２ｂとは反対側に、前記間隙２２ｃが狭まるようにねじ込まれるネジ部材２２ｅを備えていた。一方、アタッチメント２３は、板状に形成されていた。そして、アタッチメント２３には、前記軸部２２ｂに回動調整可能に嵌合する孔部２３ａと、センサーが固定される取付孔２３ｂとが明けられていた。ここで、前記ネジ部材２２ｅを、ねじ込むと、二つの分割体２２ｄ、２２ｄが、ポール２４を締め付け、さらに、ポール２４を支点にして、軸部２２ｂ部分において、二つの分割体２２ｄ、２２ｄか孔部２３ａに押し付けられるように広がり、こうして、アタッチメント２３は、この本体２２に固定された。
【０００３】
【発明が解決しようとする課題】
ところで、前記従来の取付補助具２１においては、一つのネジ部材２２ｅを締め付けることにより、本体２２にポール２４とアタッチメント２３とが同時に固定された。したがって、例えば、ポール２４のみを調整したい場合であっても、アタッチメント２３側が動いてしまい、その調整が困難となっていた。
【０００４】
この発明は、上記した従来の欠点を解決するためになされたものであり、その目的とするところは、ポール側とアタッチメント側との、それぞれの調整を個別に行なうことができる、センサー用取付補助具を提供することにある。
【０００５】
【課題を解決するための手段】
この発明に係るセンサー用取付補助具は、前記目的を達成するために、次の構成からなる。すなわち、
請求項１に記載の発明に係るセンサー用取付補助具は、センサー部材を取付部に取り付けるための取付補助具である。この取付補助具は、前記取付部側の本体と、前記センサー部材側のアタッチメントとを備える。ここで、前記本体は、その本体よりも前記取付部側に位置するポールが相対的にスライド調整可能に挿入される挿入孔と、前記ポールを前記挿入孔に固定する第１固定手段と、前記挿入孔の軸心方向と垂直となる軸心を有する、孔部または軸部からなる嵌合部と、を備える。一方、前記アタッチメントは、前記嵌合部に、相対的にその嵌合部の軸心回りの任意の回動位置に回動調整可能に嵌合する、軸部または孔部からなる被嵌合部と、前記センサー部材が、直接または間接的に固定される固定部とを備える。そして、前記取付補助具は、前記アタッチメントを、前記本体に、前記嵌合部に前記被嵌合部が嵌合した状態で固定する、前記第１固定手段とは独立した第２固定手段を備える。
【０００６】
これにより、ポールは、本体の挿入孔に、相対的にスライド調整されて、第１固定手段により固定される。そして、アタッチメントは、その被嵌合部が、本体の嵌合部に、相対的に任意の回動位置に回動調整されて、この本体に、第２固定手段により固定される。ここにおいて、第１固定手段と第２固定手段とは、独立して設けられている。したがって、第１固定手段による固定と第２固定手段による固定との、いずれか一方を解除することで、これら、ポール側の調整と、アタッチメント側の調整とを、個別に行なうことが可能となる。また、第１固定手段による固定と第２固定手段による固定との両者を解除すれば、ポール側の調整と、アタッチメント側の調整との、双方を行なうことが可能となる。
【０００７】
また、請求項２に記載の発明に係るセンサー用取付補助具のように、請求項１に記載の取付補助具において、前記取付補助具は、前記アタッチメントが、前記本体に対して、前記嵌合部の軸心回りに回動可能な状態で離脱が阻止される、離脱阻止手段を備えてもよい。これにより、アタッチメント側の調整を行なう際に、アタッチメントが、本体から不用意に離脱して落下することがない。
【０００８】
また、請求項３に記載の発明に係るセンサー用取付補助具のように、請求項２に記載の取付補助具において、前記離脱阻止手段は、前記孔部を備える側となる、前記本体または前記アタッチメントに螺合するネジ部材と、前記軸部に設けられて、前記ネジ部材に掛け止められる被掛止部とからなってもよい。こうして、ネジ部材が、軸部に設けられた被掛止部を掛け止めることで、アタッチメントは、本体からの離脱が阻止される。
【０００９】
また、請求項４に記載の発明に係るセンサー用取付補助具のように、請求項３に記載の取付補助具において、前記第２固定手段は、前記孔部を備える側となる、前記本体または前記アタッチメントに設けられて、前記孔部の内周面に達するスリットと、そのスリットを狭めるようにねじ込まれる前記ネジ部材とを有してもよい。こうして、離脱阻止手段を構成するネジ部材が、スリットを狭めるようにねじ込まれることで、アタッチメントは、本体に固定される。このように、このネジ部材は、離脱阻止手段と第２固定手段との両方に兼用されている。
【００１０】
また、請求項５に記載の発明に係るセンサー用取付補助具のように、請求項１ないし４のいずれか１項に記載の取付補助具において、前記挿入孔は、前記ポールが、相対的にその挿入孔の軸心回りの任意の回動位置に回動調整可能に挿入されるよう形成されてもよい。これにより、ポールは、本体の挿入孔に、相対的に任意の回動位置に回動調整されて、前記第１固定手段により固定される。
【００１１】
また、請求項６に記載の発明に係るセンサー用取付補助具のように、請求項１ないし４のいずれか１項に記載の取付補助具において、前記ポールは、断面正多角形状であって、前記挿入孔は、前記ポールが、相対的に所定の角度の回動間隔で、挿入されるよう形成されてもよい。これにより、ポールは、本体の挿入孔に、相対的に所定の角度の回動間隔で挿入されて、前記第１固定手段により固定される。すなわち、ポール側は、段階的な回動調整が可能となっている。
【００１２】
【発明の実施の形態】
以下、この発明に係るセンサー用取付補助具の実施の形態を図面に基づいて説明する。
【００１３】
図１ないし図６は、本発明に係るセンサー用取付補助具の一実施の形態を示す。図中符号１は、取付部である。２は、センサー部材であって、センサーそのものの他に、例えば、光電センサーにおける、投光部材とか受光部材とか反射板等の、センサーを構成する部材も含む。３は、前記センサー部材２を前記取付部１に取り付けるためのセンサー用取付補助具である。この取付補助具３は、取付部１側の本体４と、センサー部材２側のアタッチメント５とを備える。
【００１４】
ここで、本体４は、その本体４よりも取付部１側に位置するポール６が相対的にスライド調整可能に挿入される挿入孔４ａと、前記ポール６をこの挿入孔４ａに固定する第１固定手段Ｆ１と、この挿入孔４ａの軸心Ｊ１方向と垂直となる軸心Ｊ２を有する嵌合部としての孔部４ｂとを備える。一方、アタッチメント５は、前記孔部４ｂに、相対的にその孔部４ｂの軸心Ｊ２回りの任意の回動位置に回動調整可能に嵌合する被嵌合部としての軸部５ａと、前記センサー部材２が、直接または間接的に固定される固定部５ｂとを備える。また、取付補助具３は、アタッチメント５を本体４に、孔部４ｂに軸部５ａが嵌合した状態で固定する第２固定手段Ｆ２を備える。そして、この第２固定手段Ｆ２は、前記第１固定手段Ｆ１とは独立して設けられる。さらに、取付補助具３は、アタッチメント５が、本体４に対して、孔部４ｂの軸心Ｊ２回りに回動可能な状態で離脱が阻止される、離脱阻止手段Ｈを備えている。
【００１５】
具体的には、本体４は、例えば、アルミニウム合金等の金属からなり、円柱形状に形成されている。そこで、前記挿入孔４ａは、本体４の一方側において、その円柱形状の周面４ｃを貫通するように設けられている。そして、この挿入孔４ａは、前記ポール６が、相対的にその挿入孔４ａの軸心Ｊ１回りの任意の回動位置に回動調整可能に挿入されるよう形成されている。すなわち、この挿入孔４ａは、図示実施の形態においては、断面円形形状に形成されており、そして、ポール６は、同様に断面円形形状に形成されている。そして、前記第１固定手段Ｆ１は、本体４において、挿入孔４ａの内周面に達する第１のスリット４ｄと、そのスリット４ｄを狭めるように、そのスリット４ｄに対して直交するようにしてねじ込まれる第１のネジ部材４ｅとを有している。詳細には、第１のスリット４ｄは、本体４の周面４ｃの両側に開口するとともに、その本体４の一方側の端面４ｆから、挿入孔４ａの内周面に達し、さらに、その挿入孔４ａを横切って、反対側に若干切り込まれるように形成されている。そして、第１のネジ部材４ｅは、本体４において第１のスリット４ｄによって分断された一方の側に設けられた孔４ｇに挿通され、そして、他方の側に設けられた孔４ｇの雌ネジ部４ｈにねじ込まれている。
【００１６】
また、前記嵌合部としての孔部４ｂは、本体４の他方側の端面４ｉに、その円柱形状の中心に沿って明けられている。そして、第２固定手段Ｆ２は、本体４において、孔部４ｂの内周面に達するスリットとしての第２のスリット４ｊと、その第２のスリット４ｊを狭めるように、そのスリット４ｊに対して直交するようにしてねじ込まれるネジ部材としての第２のネジ部材４ｋとを有している。詳細には、第２のスリット４ｊは、本体４の他方側の端面４ｉに開口するとともに、その本体４の周面４ｃの対向する各側から、孔部４ｂの内周面に達するように形成されている。そして、この実施の形態においては、第２固定手段Ｆ２として、さらに、第３のスリット４ｍを有している。この第３のスリット４ｍは、第２のスリット４ｊと連通するとともに直交するように、本体４の周面４ｃに、その周方向に沿うようにして形成されている。そして、第２のネジ部材４ｋは、本体４において、第２のスリット４ｊによって分断された一方の側に設けられた孔４ｎに挿通され、そして、他方の側に設けられた孔４ｎの雌ネジ部４ｐにねじ込まれている。そして、この実施の形態においては、孔４ｎ、４ｎは、図４に明示するように、前記孔部４ｂと、一部が重なるように交差して（詳細には直交して）、形成されている。
【００１７】
アタッチメント５は、例えば、アルミニウム合金等の金属からなり、前記固定部５ｂが、円盤状に形成されており、そして、前記軸部５ａが、円盤状に形成された固定部５ｂの一方の面から突出するように形成されている。そこで、固定部５ｂにおいては、軸部５ａが突出する一方の面とは反対側となる他方の面が、固定面５ｃとなっている。したがって、この固定面５ｃは、本体４における孔部４ｂの軸心Ｊ２、つまりは軸部５ａの軸心と、垂直となるように形成されている。そして、この固定面５ｃには、二対の固定用ネジ孔５ｄ、５ｄ、５ｅ、５ｅが明けられている。これら二対の固定用ネジ孔５ｄ、５ｄ、５ｅ、５ｅは、各対における、ネジ径および間隔が異なっている。また、軸部５ａには、その周面を一周するようにして凹条部５ｆが設けられている。ここにおいて、前記離脱阻止手段Ｈは、本体４（詳細には、雌ネジ部４ｐ）に螺合する前記第２のネジ部材４ｋと、軸部５ａに設けられて、第２のネジ部材４ｋに掛け止められる被掛止部としての前記凹条部５ｆとからなる。すなわち、前述のように、本体４における孔４ｎ、４ｎは、孔部４ｂと、一部が重なるように交差して形成されており、孔４ｎ、４ｎに挿通された第２のネジ部材４ｋは、孔部４ｂに臨み、そのネジ部材４ｋにおける孔部４ｂに臨んだ部分によって、アタッチメント５の凹条部５ｆが掛け止められる（図５参照）。
【００１８】
ところで、図６は、センサー部材２としての光電センサー２ａが、固定部５ｂに、例えばブラケット７を介して、間接的に固定される例を示している。なお、図中符号８は、ブラケット７を固定部５ｂに固定するために、ネジ孔５ｄあるいはネジ孔５ｅにねじ込まれる取付ネジである。そして、９は、光電センサー２ａを、ブラケット７に固定するための取付ネジである。また、１０は、ポール６を取付部１に固定するための、取付ベースである。
【００１９】
次に、以上の構成からなるセンサー用取付補助具３の作用効果について説明する。この取付補助具３によると、ポール６は、本体４の挿入孔４ａに、相対的にスライド調整されて、第１固定手段Ｆ１となる第１のネジ部材４ｅにより固定される。そして、アタッチメント５は、その軸部５ａが、本体４の孔部４ｂに、相対的に任意の回動位置に回動調整されて、この本体４に、第２固定手段Ｆ２となる第２のネジ部材４ｋにより固定される。ここにおいて、第１固定手段Ｆ１と第２固定手段Ｆ２とは、独立して設けられている。したがって、第１固定手段Ｆ１による固定と第２固定手段Ｆ２による固定との、いずれか一方を解除することで、これら、ポール６側の調整と、アタッチメント５側の調整とを、個別に行なうことが可能となる。このように、第１固定手段Ｆ１と、アタッチメントＦ２を本体４に固定する第２固定手段Ｆ２とを、独立させることで、ポール６側とアタッチメント５側との、それぞれの調整を個別に行なうことができる。また、第１固定手段Ｆ１による固定と第２固定手段Ｆ２による固定との両者を解除すれば、ポール６側の調整と、アタッチメント５側の調整との、双方を行なうことが可能となる。以上により、ポール６側の調整と、アタッチメント５側の調整との、いずれか一方あるいは双方を行なったりすることができ、状況に応じた適切な調整が可能となる。
【００２０】
さらに、本体４の挿入孔４ａには、ポール６が、相対的にその挿入孔４ａの軸心Ｊ１回りの任意の回動位置に回動調整可能に挿入される。こうして、ポール６は、本体４の挿入孔４ａに、相対的にスライド調整および任意の回動位置に回動調整されて、前記第１固定手段Ｆ２となる第１のネジ部材４ｅにより固定される。
【００２１】
また、取付補助具３は、アタッチメント５が、本体４に対して、孔部４ｂの軸心Ｊ２回りに回動可能な状態で離脱が阻止される、離脱阻止手段Ｈを備えている。したがって、アタッチメント５側の調整を行なう際に、アタッチメント５が、本体４から不用意に離脱して落下するのを防止することができる。詳細には、この離脱阻止手段Ｈは、本体４側の第２のネジ部材４ｋと、アタッチメント５側の軸部５ａにおける凹条部５ｆとからなり、こうして、第２のネジ部材４ｋが凹条部５ｆを掛け止めるという簡単な構造で、アタッチメント５が本体４から離脱するのが阻止される。しかも、この離脱阻止手段Ｈを構成する第２のネジ部材４ｋが、第２のスリット４ｊを狭めるようにねじ込まれることで、アタッチメント５は、本体４に固定される。このように、この第２のネジ部材４ｋは、離脱阻止手段Ｈと第２固定手段Ｆ２との両方に兼用されており、これら離脱阻止手段Ｈと第２固定手段Ｆ２との全体の構造が簡単化され、これによって、取付補助具３のコストが低減される。
【００２２】
なお、本発明は、上述した実施の形態に限定されるわけではなく、その他種々の変更が可能である。例えば、センサー部材２は、アタッチメント５の固定部５ｂに、間接的に固定されなくとも、図７に示すように、例えば取付ネジ１１、１１を用いて、直接固定されてもよい。そして、この図７においては、センサー部材２は、反射板２ｂとなっている。
【００２３】
また、ポール６および挿入孔４ａは、断面円形形状でなくとも、図８に示すように、ポール６が、例えば断面正四角形等の、断面正多角形状であって、そして、挿入孔４ａは、前記ポール６が、相対的に所定の角度の回動間隔で、挿入されるよう形成されていてもよい。図示実施の形態においては、挿入孔４ａは、断面正四角形状が４５゜ずれて形成される星形形状をしており、ポール６は、挿入孔４ａに、４５゜の回動間隔で、挿入可能となっている。もっとも、挿入孔４ａは、断面星型形状に形成されなくとも、ポール６と同様の断面正四角形状であってもよい。そして、この場合には、ポール６は、挿入孔４ａに、９０°の回動間隔で、挿入可能となる。また、ポール６は、中実状あるいはパイプ状のいずれであっても構わない。
【００２４】
また、本体４には、第１のネジ部材４ｅがねじ込まれる雌ネジ部４ｈと、第２のネジ部材４ｋがねじ込まれる雌ネジ部４ｐが螺設されているが、これら雌ネジ部４ｈ、４ｐは、本体４に備えられるナットの雌ネジ部からなっていてもよい。
【００２５】
また、第１固定手段Ｆ１は、第１のスリット４ｄと第１のネジ部材４ｅとからなるが、ポール６を押圧するようにねじ込まれる止めネジからなっていてもよい。同様に、第２固定手段Ｆ２は、第２および第３のスリット４ｊ、４ｍと第２のネジ部材４ｋとからなるが、軸部５ａを押圧するようにねじ込まれる止めネジからなっていてもよい。
【００２６】
また、本体４側には、嵌合部としての孔部４ｂが設けられ、アタッチメント５側には、被嵌合部としての軸部５ａが設けられているが、反対に、本体４側に、嵌合部としての軸部が設けられ、アタッチメント５側に、被嵌合部としての孔部が設けられてもよい。
【００２７】
【発明の効果】
以上、詳述したところから明らかなように、この発明に係るセンサー用取付補助具によれば、次の効果がある。
【００２８】
請求項１、５および６に記載されたセンサー用取付補助具によれば、ポールを本体の挿入孔に固定する第１固定手段と、アタッチメントを本体に固定する第２固定手段とを、独立させることで、ポール側とアタッチメント側との、それぞれの調整を個別に行なうことができる。
【００２９】
また、請求項２に記載されたセンサー用取付補助具によれば、請求項１の効果に加えて、離脱阻止手段により、アタッチメント側の調整を行なう際に、アタッチメントが、本体から不用意に離脱して落下するのを防止することができる。
【００３０】
また、請求項３に記載されたセンサー用取付補助具によれば、請求項２の効果に加えて、ネジ部材が軸部に設けられた被掛止部を掛け止めるという簡単な構造で、アタッチメントが本体から離脱するのが阻止される。
【００３１】
また、請求項４に記載されたセンサー用取付補助具によれば、請求項３の効果に加えて、ネジ部材が、離脱阻止手段と第２固定手段との両方に兼用されることから、離脱阻止手段と第２固定手段との全体の構造が簡単化され、これによって、この取付補助具のコストが低減される。
【図面の簡単な説明】
【図１】この発明に係るセンサー用取付補助具の一実施の形態の、分解斜視図である。
【図２】同じく、正面図である。
【図３】同じく、底面図である。
【図４】同じく、図２におけるＡ−Ａ線による拡大断面図である。
【図５】同じく、図３におけるＢ−Ｂ線による断面図である。
【図６】同じく、使用状態を示す正面図である。
【図７】この発明に係るセンサー用取付補助具の他の実施の形態の、使用状態を示す正面図である。
【図８】この発明に係るセンサー用取付補助具のさらに他の実施の形態の、底面図である。
【図９】従来の取付補助具を示す断面図である。
【符号の説明】
１  取付部                          ２  センサー部材
２ａ  光電センサー（センサー部材）  ２ｂ  反射板（センサー部材）
３  取付補助具（センサー用取付補助具）
４  本体                            ４ａ  挿入孔
４ｂ  孔部（嵌合部）                ４ｊ  第２のスリット（スリット）
４ｋ  第２のネジ部材（ネジ部材）    ５  アタッチメント
５ａ  軸部（被嵌合部）              ５ｂ  固定部
５ｃ  固定面                        ５ｆ  凹条部（被掛止部）
６  ポール
Ｆ１  第１固定手段                  Ｆ２  第２固定手段
Ｊ１  挿入孔の軸心                  Ｊ２  孔部の軸心
Ｈ  離脱阻止手段
【図１】
2004270756.tif 000003
【図２】
2004270756.tif 000004
【図３】
2004270756.tif 000005
【図４】
2004270756.tif 000006
【図５】
2004270756.tif 000007
【図６】
2004270756.tif 000008
【図７】
2004270756.tif 000009
【図８】
2004270756.tif 000010
【図９】
2004270756.tif 000011